(57)【要約】【課題】  所定の絶縁性能を確保しつつ軽量で配設スペースが小さいとともに生産性に優れた通電装置を提供する。【解決手段】  通電装置２０を構成しているバスバー１２、１４、１６の表面は、何れも電着塗装によって付着された絶縁性塗料２２で被覆されているため、樹脂モールドのようにボイドが生じる恐れがなく、絶縁性塗料２２の種類や膜厚に応じて所定の絶縁性能が安定して得られるとともに、絶縁テープなどを手作業で巻き付ける場合に比較して、高い生産性で安価に製造できる。また、絶縁性塗料２２の膜厚は５０μｍ〜１５０μｍ程度と薄いため、樹脂カセットや樹脂モールドに比較して容積が小さくなり、沿面距離を確保する必要がないことと相まって配設スペースを大幅に節減できるとともに、軽量に構成できる。【選択図】      図１
2006024449.tif 000002
【特許請求の範囲】
【請求項１】
導電性材料にて構成されている長手形状のバスバーにおいて、
表面が、塗装によって付着された絶縁性塗料で被覆されている
ことを特徴とするバスバー。
【請求項２】
前記導電性材料は、プレス加工によって切断された板材で、
該プレス加工による切断面のせん断面側および破断面側のエッジのうち少なくとも一方は、前記塗装に先立って滑らかに丸められている
ことを特徴とする請求項１に記載のバスバー。
【請求項３】
前記導電性材料は、円筒形状または円柱形状の素材を径方向に潰したもので、断面が楕円乃至は長円形状を成している
ことを特徴とする請求項１に記載のバスバー。
【請求項４】
導電性材料にて構成されている長手板状のバスバーを板厚方向に複数重ねて配設する通電装置において、
前記複数のバスバーの表面は、それぞれ塗装によって付着された絶縁性塗料で被覆されている
ことを特徴とする通電装置。
【請求項５】
隣接するバスバーは、長手方向と直角な幅方向の側端縁の位置が該幅方向において互いにずれている
ことを特徴とする請求項４に記載の通電装置。
【請求項６】
前記幅方向の寸法が異なる２種類のバスバーを備えており、該２種類のバスバーが交互に配設されることにより、該幅寸法が大きいバスバーの側端縁が外側へ突き出している
ことを特徴とする請求項５に記載の通電装置。
【請求項７】
前記バスバーはプレス加工によって切断されたもので、
該プレス加工による切断面のうち少なくとも破断面側のエッジは、前記塗装に先立って滑らかに丸められている
ことを特徴とする請求項４〜６の何れか１項に記載の通電装置。
【請求項８】
隣接する一対のバスバーの長手方向と直角な幅方向の側端縁において、板厚方向の両側の角部のうち互いに近接する一対の角部の少なくとも一方は、前記塗装に先立って滑らかに丸められている
ことを特徴とする請求項４〜７の何れか１項に記載の通電装置。
【請求項９】
それぞれ前記絶縁性塗料で被覆された複数のバスバーが、互いに重ね合わされた状態で接着手段により一体的に固着されている
ことを特徴とする請求項４〜８の何れか１項に記載の通電装置。
【発明の詳細な説明】
【技術分野】
【０００１】
本発明はバスバーおよび通電装置に係り、特に、軽量で配設スペースが小さいとともに生産性に優れたバスバーおよび通電装置に関するものである。
【背景技術】
【０００２】
銅や銅合金、或いはアルミニウムなどの導電性材料にて構成されている長手板状のバスバーを板厚方向に複数近接して配設した通電装置が、電源回路などに広く用いられている。図１２の通電装置１０は一例で、銅などの導電性材料にて構成されている３本のバスバー１２、１４、１６を備えており、バッテリなどの電源に接続されて所定の電気部品に電気を供給する。バスバー１２、１４、１６は、何れもプレス加工による切断で打ち抜き加工された長手形状の板材で、両端部にはそれぞれ接続端子１２ａ、１２ｂ、１４ａ、１４ｂ、１６ａ、１６ｂが設けられている。そして、このような通電装置１０においては、省スペース化のためにできるだけ近接して配設することが望まれる一方、相互の絶縁性を確保する必要があるため、例えば図１３に示すように樹脂カセットや絶縁紙、絶縁テープ、樹脂モールドなどが用いられている。特許文献１には、図１３(d) と同様に樹脂モールドで絶縁する技術が記載されている。なお、図１３(a) 〜(d) の各断面図は、何れも図１２におけるＡ−Ａ断面に相当する。
【０００３】
【特許文献１】特開２００２−０８４６２１号公報
【発明の開示】
【発明が解決しようとする課題】
【０００４】
しかしながら、上記図１３の(a) 、(b) の樹脂カセット或いは絶縁紙による絶縁方法は、開口部が設けられてバスバー１２、１４、１６を挿入するようになっているため、その開口部側に所定の沿面距離を確保する必要があり、配設スペースが大きくなる。図１３の(b) 、(c) の絶縁紙或いは絶縁テープによる絶縁方法は、作業者が手作業でそれ等の絶縁紙や絶縁テープをバスバー１２、１４、１６に装着したり巻き付けたりする必要があるため、製造コストが高くなる。図１３の(d) の樹脂モールドによる絶縁方法は、インサート成形する際にボイドが発生して絶縁性能が低下する恐れがある。また、図１３の(a) 、(d) の樹脂カセットや樹脂モールドを用いる場合、樹脂容積が大きくて重量が重くなるとともに、配設スペースも大きくなる。
【０００５】
本発明は以上の事情を背景として為されたもので、その目的とするところは、所定の絶縁性能を確保しつつ軽量で配設スペースが小さいとともに生産性に優れたバスバーや通電装置を提供することにある。
【課題を解決するための手段】
【０００６】
かかる目的を達成するために、第１発明は、導電性材料にて構成されている長手形状のバスバーにおいて、表面が、塗装によって付着された絶縁性塗料で被覆されていることを特徴とする。
【０００７】
第２発明は、第１発明のバスバーにおいて、(a) 前記導電性材料は、プレス加工によって切断された板材で、(b) そのプレス加工による切断面のせん断面側および破断面側のエッジのうち少なくとも一方は、前記塗装に先立って滑らかに丸められていることを特徴とする。
【０００８】
なお、せん断面は、切断加工の前半にせん断によって生じる比較的滑らかな部分で、破断面は、切断加工の後半に破断によって生じる表面粗さが粗い部分であるが、ここでは必ずしも厳密にせん断面や破断面を要件とするものではなく、せん断面側は切断の開始側で、破断面側は切断の終了側を意味している。
【０００９】
第３発明は、第１発明のバスバーにおいて、前記導電性材料は、円筒形状または円柱形状の素材を径方向に潰したもので、断面が楕円乃至は長円形状を成していることを特徴とする。
【００１０】
第４発明は、導電性材料にて構成されている長手板状のバスバーを板厚方向に複数重ねて配設した通電装置において、前記複数のバスバーの表面は、それぞれ塗装によって付着された絶縁性塗料で被覆されていることを特徴とする。
【００１１】
第５発明は、第４発明の通電装置において、隣接するバスバーは、長手方向と直角な幅方向の側端縁の位置がその幅方向において互いにずれていることを特徴とする。
【００１２】
第６発明は、第５発明の通電装置において、前記幅方向の寸法が異なる２種類のバスバーを備えており、その２種類のバスバーが交互に配設されることにより、その幅寸法が大きいバスバーの側端縁が外側へ突き出していることを特徴とする。
【００１３】
第７発明は、第４発明〜第６発明の何れかの通電装置において、(a) 前記バスバーはプレス加工によって切断されたもので、(b) そのプレス加工による切断面のうち少なくとも破断面側のエッジは、前記塗装に先立って滑らかに丸められていることを特徴とする。
【００１４】
第８発明は、第４発明〜第７発明の何れかの通電装置において、隣接する一対のバスバーの長手方向と直角な幅方向の側端縁において、板厚方向の両側の角部のうち互いに近接する一対の角部の少なくとも一方は、前記塗装に先立って滑らかに丸められていることを特徴とする。
【００１５】
第９発明は、第４発明〜第８発明の何れかの通電装置において、それぞれ前記絶縁性塗料で被覆された複数のバスバーが、互いに重ね合わされた状態で接着手段により一体的に固着されていることを特徴とする。
【発明の効果】
【００１６】
このようなバスバーや通電装置においては、バスバーの表面が、塗装によって付着された絶縁性塗料で被覆されているため、樹脂モールドのようにボイドが生じる恐れがなく、絶縁性塗料の種類や膜厚に応じて所定の絶縁性能が安定して得られるとともに、絶縁テープなどを手作業で巻き付ける場合に比較して、高い生産性で安価に製造できる。また、絶縁性塗料の膜厚は、一般に数μｍ〜数百μｍ程度で十分であるため、樹脂カセットや樹脂モールドに比較して容積が小さくなり、沿面距離を確保する必要がないことと相まって配設スペースを大幅に節減できるとともに、軽量に構成できる。
【００１７】
一方、バスバーをプレス加工により切断して切り出す場合、そのまま塗装して絶縁性塗料を付着すると、塗料のチクソトロピー性により切断面のエッジ部分で塗膜が薄くなって絶縁性能が低下し、特に破断面側で絶縁性能の低下が問題となることがある。これに対し、第２発明ではせん断面側および破断面側のエッジの少なくとも一方が、塗装に先立って滑らかに丸められ、第７発明では少なくとも破断面側のエッジが塗装に先立って滑らかに丸められるため、絶縁性塗料が比較的付着し易くなり、そのエッジ部分における絶縁性能の低下が抑制されて、所定の絶縁性能が安定して得られるようになる。
【００１８】
第８発明のように、隣接する一対のバスバーの側端縁の互いに近接する一対の角部の少なくとも一方を、塗装に先立って滑らかに丸める場合にも、その角部に絶縁性塗料が良好に付着させられるようになり、隣接する一対のバスバー間の絶縁性能が高められる。これにより、バスバーをプレス加工によって切断する場合でも、所定の絶縁性能が安定して得られるようになる。
【００１９】
また、第５発明や第６発明のように、隣接するバスバーの側端縁の位置が幅方向において互いにずれるようにすれば、隣接するバスバーのエッジ間の距離すなわち漏れ電流の沿面距離が長くなり、絶縁性能が高くなる。このため、バスバーをプレス加工によって切断することにより、エッジ部分の絶縁性塗料が薄くなって絶縁性能が低下する場合でも、隣接するバスバーの相互間において所定の絶縁性能が安定して得られるようになる。
【００２０】
第３発明では、バスバーを構成している導電性材料が、円筒形状または円柱形状の素材を径方向に潰したもので、断面が楕円乃至は長円形状を成しているため、塗装によりその全周に亘って絶縁性塗料が良好に付着させられるようになり、一層優れた絶縁性能が得られる。また、円筒形状の素材を潰した場合には、潰された内側の内表面も含めた表面積が大きいため、通電電流が交流の場合、表皮効果によって送電容量が増加するとともにジュール熱の発生が抑制される利点がある。
【００２１】
第９発明では、絶縁性塗料で被覆された複数のバスバーが互いに重ね合わされた状態で接着手段により一体的に固着されているため、電気回路等に対する配設作業が容易になるとともに、小さなスペースにコンパクトに配設することができる。
【発明を実施するための最良の形態】
【００２２】
本発明のバスバーや通電装置は、比較的大きな電圧が印加されて絶縁性が問題となる電源回路等に好適に適用されるが、電流を通電する他の電気回路にも適用され得る。
【００２３】
バスバーを構成している導電性材料としては、銅や銅合金、或いはアルミニウムなどが好適に用いられる。塗装によってバスバーの表面に付着させられる絶縁性塗料としては、エポキシ樹脂やポリアミドイミド樹脂、ポリイミド樹脂などの樹脂系絶縁材料が好適に用いられる。絶縁性塗料の膜厚は、所定の絶縁性能が得られるように絶縁性塗料の種類に応じて適宜定められ、例えば数μｍ〜数百μｍ程度が適当である。
【００２４】
上記絶縁性塗料の塗装方法としては、電着塗装が好適に用いられるが、粉体塗装やディッピング（ドブ漬け）等の他の塗装方法を採用することもできる。粉体塗装としては、流動浸漬塗装や静電浸漬塗装が好適に用いられる。
【００２５】
絶縁性塗料は、例えばバスバーの表面のうち接続端子部分を除く全域を被覆するように設けられるが、通電装置において、隣接するバスバーのうち互いに離間するなどして絶縁性能が問題にならない部分については、必ずしも絶縁性塗料で被覆する必要はない。第２発明や第７発明、第８発明のエッジや角部の丸め、第５発明および第６発明の側端縁のずれについても、必要に応じてバスバーの少なくとも一部に設けられれば良い。切断条件によっては、切断面のエッジ部分にも塗装により絶縁性塗料を十分に付着させることができるため、このようなエッジの丸め加工や側端縁のずれは、必要に応じて行われれば良い。
【００２６】
第２発明では、せん断面側および破断面側のエッジの少なくとも一方が滑らかに丸められるが、特に破断面側のエッジを丸めておくことが望ましく、必要に応じて両側のエッジを丸めることもできる。第７発明では、切断面のうち少なくとも破断面側のエッジが丸められるが、せん断面側のエッジも滑らかに丸めることができる。このようなエッジの丸め加工は、例えばバスバーを収容する凹溝のコーナーにＲ０．２〜Ｒ３程度の丸みを付けたプレス型を用いたプレス叩き加工が適当であるが、ロール成形や押出成形、或いは研磨等の機械加工など種々の手段を採用できる。また、このようなエッジ丸めは、隣接するバスバーのエッジ同士が互いに近接する部分、例えばバスバーの長手方向と直角な幅方向の側端縁などに設けられる。
【００２７】
第７発明は、通電装置に関するもので複数のバスバーを備えているが、その複数の総てのバスバーについて破断面側のエッジを叩き加工などで丸める必要はなく、例えば破断面側に隣接して他のバスバー等の導電性部材が存在する場合には、その破断面側のエッジを丸め、破断面側に他のバスバー等が存在しない場合には、必ずしもその破断面側のエッジを丸める必要はない。
【００２８】
第８発明では、板厚方向の両側の角部のうち互いに近接する一対の角部の少なくとも一方が丸められるが、両方の角部を共に丸めることもできる。第８発明は、バスバーをプレス加工によって切断して取り出す場合に好適に適用されるが、プレスによる切断以外の手段でバスバーが製造される場合でも、断面が矩形等の角部を有する場合には同様に適用され得る。第５発明および第６発明も、プレスによる切断以外の手段で製造されたバスバーを用いる場合でも、幅方向の側端縁で絶縁性塗料のみでは十分な絶縁性能が得られない場合などに同様に適用され得る。
【００２９】
第６発明では、幅寸法が異なる２種類のバスバーを交互に配置することにより、側端縁の位置が幅方向において互いにずれる場合であるが、第５発明の実施に際しては、幅寸法が一定のバスバーを用いるとともに、幅方向に交互にずらして配置することにより、側端縁の位置を幅方向にずらすこともできるし、複数のバスバーの幅寸法を段階的に変化させても良いなど、種々の態様が可能である。
【００３０】
第４発明の長手板状のバスバーは、例えば第７発明のようにプレス加工によって切断された板材であるが、第３発明のように円筒形状または円柱形状の素材を径方向に潰した断面が楕円乃至は長円形状の板材を採用することも勿論可能である。
【００３１】
第９発明では、複数のバスバーが互いに重ね合わされた状態で接着手段により一体的に固着されているが、他の発明の実施に際しては、必ずしも一体的に固着する必要はなく、電気回路等に複数のバスバーを１本（枚）ずつ近接して配設するようにしても良い。
【実施例】
【００３２】
以下、本発明の実施例を図面を参照しつつ詳細に説明する。
図１の通電装置２０は、前記図１２の通電装置１０に本発明が適用された場合のＡ−Ａ断面を示す図で、銅や銅合金、或いはアルミニウムなどの導電性材料にて構成されている３本のバスバー１２、１４、１６の表面は、何れも電着塗装によって付着された絶縁性塗料２２により全周に亘って被覆されているとともに、それ等のバスバー１２、１４、１６は、板厚方向に互いに重ねられた状態で接着剤等の接着手段により予め一体的に固着されている。絶縁性塗料２２は、バスバー１２、１４、１６のうち接続端子１２ａ、１２ｂ、１４ａ、１４ｂ、１６ａ、１６ｂを除く全域に設けられている。また、絶縁性塗料２２は、例えばエポキシ樹脂やポリアミドイミド樹脂、ポリイミド樹脂などの樹脂系絶縁材料で、その膜厚は５０μｍ〜１５０μｍ程度である。
【００３３】
このような通電装置２０においては、バスバー１２、１４、１６の表面が、電着塗装によって付着された絶縁性塗料２２で被覆されているため、樹脂モールドのようにボイドが生じる恐れがなく、絶縁性塗料２２の種類や膜厚に応じて所定の絶縁性能が安定して得られるとともに、絶縁テープなどを手作業で巻き付ける場合に比較して、高い生産性で安価に製造できる。
【００３４】
また、絶縁性塗料２２の膜厚は５０μｍ〜１５０μｍ程度と薄いため、樹脂カセットや樹脂モールドに比較して容積が小さくなり、沿面距離を確保する必要がないことと相まって配設スペースを大幅に節減できるとともに、軽量に構成できる。
【００３５】
また、本実施例では絶縁性塗料２２で被覆された複数のバスバー１２、１４、１６が、互いに重ね合わされた状態で接着手段により一体的に固着されているため、電気回路等に対する配設作業が容易になるとともに、小さなスペースにコンパクトに配設することができる。
【００３６】
一方、バスバー１２、１４、１６は、プレスによる切断で打ち抜き加工された板材であるため、周縁部すなわち図１における上下両端部の切断面２４では、塗料のチクソトロピー性によりエッジ部分で絶縁性塗料２２の膜厚が薄くなる場合がある。図２は、バスバー１２、１４、１６の切断面２４の一例を示す図で、このように切断したままの状態で電着塗装により絶縁性塗料２２を付着すると、図５の(a) に示すように両側のエッジ部分で膜厚が薄くなり、特に破断面側のエッジ部分が顕著で、絶縁性能の低下が問題になることがある。但し、バスバー１２、１４、１６の材質や板厚、切断条件、或いは通電電圧等の使用条件などによっては、プレスにより切断したままの状態で電着塗装により絶縁性塗料２２を付着しただけでも、十分な絶縁性能が得られる場合がある。
【００３７】
図３および図４は、このような切断面２４のエッジによる絶縁性能の低下に対する対策を施した場合で、何れも図１に相当する図であるが、断面のハッチングおよび絶縁性塗料２２を省略した概略図である。図３の(a) 〜(d) は、中央に位置するバスバー１４の長手方向と直角な方向の幅寸法（図の上下寸法）を両側のバスバー１２、１６よりも大きくして、その幅方向の両側の側端縁１４ｃを何れもバスバー１２、１６の側端縁１２ｃ、１６ｃよりも外側へ突き出させ、隣接するバスバー１２、１４、１６の側端縁１２ｃ、１４ｃ、１６ｃの位置が幅方向において互いにずれている場合で、近接するエッジ間の距離すなわち漏れ電流の沿面距離が長くなる。側端縁１２ｃ、１４ｃ、１６ｃは何れも切断面２４である。
【００３８】
この図３の実施例(a) 〜(d) は、第５発明、第６発明の実施例に相当し、隣接するバスバー１２、１４、１６のエッジ間の距離すなわち漏れ電流の沿面距離が長くされることにより、切断面２４（側端縁１２ｃ、１４ｃ、１６ｃ）のエッジによる絶縁性塗料２２の絶縁性能の低下に拘らず、バスバー１２、１４、１６の相互間において所定の絶縁性能が安定して得られるようになる。
【００３９】
また、図３の(a) 〜(d) の各実施例は、両側のバスバー１２、１６の姿勢が異なり、(a) ではせん断面側のエッジが内側すなわちバスバー１４側に位置する姿勢で配設され、(b) では破断面側のエッジが内側すなわちバスバー１４側に位置する姿勢で配設されている。(c) は、(a) と同様にせん断面側のエッジが内側すなわちバスバー１４側に位置する姿勢で配設されているが、図５の(c) に示すように、そのせん断面側のエッジが前記絶縁性塗料２２の電着塗装に先立って叩き加工により丸められている場合で、そのエッジ部分における絶縁性塗料２２の膜厚が比較的厚くなり、絶縁性能の低下が抑制される。(d) は、(b) と同様に破断面側のエッジが内側すなわちバスバー１４側に位置する姿勢で配設されているが、図５の(b) に示すように、その破断側のエッジが前記絶縁性塗料２２の電着塗装に先立って叩き加工により丸められている場合で、そのエッジ部分における絶縁性塗料２２の膜厚が比較的厚くなり、絶縁性能の低下が抑制される。したがって、図３の(a) 〜(d) の中では、(b) ＜(a) ＜(d) ＜(c) の順で優れた絶縁性能が得られる。図３の(c) は、第２発明、第８発明の実施例を兼ねており、図３の(d) の実施例は、第２発明、第７発明、第８発明の実施例を兼ねている。
【００４０】
上記叩き加工は、例えば図６に示すようにバスバー１２、１４、１６を収容する凹溝５２が設けられるとともに、その凹溝５２の両側のコーナー５４にそれぞれＲ０．２〜Ｒ３程度の丸みを付けたダイス型５０を用いて、その凹溝５２内にバスバー１２、１４、１６をプレスによって押圧することにより、切断面２４のせん断面側或いは破断面側のエッジ部分を丸く潰すように行われる。
【００４１】
なお、図３の(a) 〜(d) は、エッジの位置関係において、何れも両側のバスバー１２、１６が中央のバスバー１４を挟んで対称的に配置されているが、一方がプレスせん断面側で他方がプレス破断面側であっても良い。また、中央のバスバー１４についても、側端縁１４ｃの破断面側およびせん断面側の少なくとも一方（例えば破断面側）のエッジを、絶縁性塗料２２の電着塗装に先立って叩き加工により丸めるようにしても良い。
【００４２】
図４の実施例は、３本のバスバー１２、１４、１６の幅寸法が互いに同じで、それ等の両側端縁１２ｃ、１４ｃ、１６ｃがそれぞれ略同じ位置に位置させられているが、前記切断面１４のせん断面側或いは破断面側のエッジを叩いて丸めることにより、絶縁性塗料２２を付着し易くして絶縁性能の低下を抑制した場合である。その場合に、必ずしも総てのエッジを丸める必要はないが、プレスで切断したままの破断面側のエッジ同士が隣接することがないようにすることが望ましい。また、破断面側のエッジについては叩いて丸めることが望ましく、せん断面側のエッジについては必要に応じて丸めれば良く、図５の(d) に示すようにせん断面側および破断面側のエッジを共に叩き加工により丸めることもできる。
【００４３】
図４の(a) は、中央のバスバー１４については、図５(b) のように破断面側のエッジを叩いて丸め加工した後に絶縁性塗料２２を電着塗装する一方、両側のバスバー１２、１６については、図５(a) のようにプレス加工により切断したままの状態で絶縁性塗料２２を電着塗装するとともに、それぞれせん断面側のエッジが内側すなわちバスバー１４側に位置する姿勢で配設されている。図４の(b) は、中央のバスバー１４については、図５(d) のように破断面側およびせん断面側のエッジを共に叩いて丸め加工した後に絶縁性塗料２２を電着塗装する一方、両側のバスバー１２、１６については、図５(a) のようにプレス加工により切断したままの状態で絶縁性塗料２２を電着塗装するとともに、それぞれせん断面側のエッジが内側すなわちバスバー１４側に位置する姿勢で配設されている。図４の(c) は、中央のバスバー１４については、図５(a) のようにプレス加工により切断したままの状態で絶縁性塗料２２を電着塗装する一方、両側のバスバー１２、１６については、それぞれ図５(c) のようにせん断面側のエッジを叩いて丸め加工した後に絶縁性塗料２２を電着塗装するとともに、そのせん断面側のエッジが内側すなわちバスバー１４側に位置する姿勢で配設されている。図４の(d) は、中央のバスバー１４については、図５(b) のように破断面側のエッジを叩いて丸め加工した後に絶縁性塗料２２を電着塗装する一方、その破断面側に位置する右側のバスバー１６については、図５(a) のようにプレス加工により切断したままの状態で絶縁性塗料２２を電着塗装するとともに、せん断面側のエッジが内側すなわちバスバー１４側に位置する姿勢で配設され、反対側すなわち左側のバスバー１２については、図５(c) のようにせん断面側のエッジを叩いて丸め加工した後に絶縁性塗料２２を電着塗装するとともに、そのせん断面側のエッジが内側すなわちバスバー１４側に位置する姿勢で配設されている。図４の(e) は、中央のバスバー１４については、図５(d) のように破断面側およびせん断面側のエッジを共に叩いて丸め加工した後に絶縁性塗料２２を電着塗装する一方、両側のバスバー１２、１６については、それぞれ図５(c) のようにせん断面側のエッジを叩いて丸め加工した後に絶縁性塗料２２を電着塗装するとともに、そのせん断面側のエッジが内側すなわちバスバー１４側に位置する姿勢で配設されている。
【００４４】
この図４の(a) 〜(e) の各実施例は、第２発明、第８発明の実施例に相当し、破断面側のエッジを叩いて丸め加工した後に絶縁性塗料２２を電着塗装したバスバーを有する(a) 、(b) 、(d) 、(e) は第７発明の実施例に相当する。なお、図４の(a) 〜(e) はあくまでも一例で、他の組合せを採用することもできる。前記図１の通電装置２０は、３本のバスバー１２、１４、１６の各々について、切断面２４のせん断面側および破断面側のエッジを何れも叩き加工により丸めた後、絶縁性塗料２２を電着塗装したものである。
【００４５】
次に、図７および図８の(a) 〜(n) に示すように、絶縁性塗料で被覆された一対のバスバーの各種の組合せの絶縁性能、すなわち漏れ電流を調べた結果を説明する。図７および図８の(a) 〜(n) は、板厚方向において接するように一対のバスバーを重ね合わせるとともに接着剤にて一体的に固着した場合の断面図で、図５に示すように幅方向の一方の側端縁を示したものである。この場合のバスバーの材質はＡｌ（アルミニウム）で、絶縁性塗料はエポキシ系樹脂塗料で、その膜厚は１００μｍ程度である。
【００４６】
図７の(a) 〜(c) の一対のバスバーは、何れも図５(a) のようにプレス加工により切断したままの状態で絶縁性塗料を電着塗装したものであるとともに、幅寸法が同じで側端縁の位置が互いに略一致している場合であり、(a) は破断面側と破断面側とが接するように重ね合わせた場合、(b) はせん断面側とせん断面側とが接するように重ね合わせた場合、(c) は破断面側とせん断面側とが接するように重ね合わせた場合である。
【００４７】
図７の(d) 〜(g) は、前記図３に示すように幅寸法が異なるバスバーを組み合わせた場合で、側端縁の位置がずれているとともに、幅広のバスバー（上側）は何れもプレス加工により切断したままの状態で絶縁性塗料を電着塗装したもので、せん断面側が他方のバスバーと接する姿勢で重ね合わされている。そして、(d) および(e) は、他方（下側）のバスバーもプレス加工により切断したままの状態で絶縁性塗料を電着塗装したもので、(d) はせん断面側が幅広のバスバーに接する姿勢で重ね合わされ、(e) は破断面側が幅広のバスバーに接する姿勢で重ね合わされている。(f) の下側のバスバーは、図５(c) のようにせん断面側のエッジを丸めて絶縁性塗料を電着塗装したもので、そのせん断面側が幅広のバスバーに接する姿勢で重ね合わされている。また、(g) の下側のバスバーは、図５(b) のように破断面側のエッジを丸めて絶縁性塗料を電着塗装したもので、その破断面側が幅広のバスバーに接する姿勢で重ね合わされている。なお、(d) 〜(g) の側端縁のずれ寸法は数ｍｍである。
【００４８】
図８の(h) 〜(n) は、何れも一対のバスバーの幅寸法が同じで側端縁の位置が互いに略一致している場合であり、(h) は、図５(a) のようにプレス加工により切断したままの状態で絶縁性塗料を電着塗装したものと、図５(b) のように破断面側のエッジを丸めて絶縁性塗料を電着塗装したものとの組合せで、プレス加工のままのバスバー（上側）のせん断面側と、エッジ丸め加工を行ったバスバー（下側）の破断面側とが接するように重ね合わせた場合である。(i) は、図５(a) のようにプレス加工により切断したままの状態で絶縁性塗料を電着塗装したものと、図５(c) のようにせん断面側のエッジを丸めて絶縁性塗料を電着塗装したものとの組合せで、プレス加工のままのバスバー（上側）のせん断面側と、エッジ丸め加工を行ったバスバー（下側）のせん断面側とが接するように重ね合わせた場合である。(j) は、図５(a) のようにプレス加工により切断したままの状態で絶縁性塗料を電着塗装したものと、図５(c) のようにせん断面側のエッジを丸めて絶縁性塗料を電着塗装したものとの組合せで、プレス加工のままのバスバー（上側）の破断面側と、エッジ丸め加工を行ったバスバー（下側）のせん断面側とが接するように重ね合わせた場合である。(k) は、図５(a) のようにプレス加工により切断したままの状態で絶縁性塗料を電着塗装したものと、図５(b) のように破断面側のエッジを丸めて絶縁性塗料を電着塗装したものとの組合せで、プレス加工のままのバスバー（上側）の破断面側と、エッジ丸め加工を行ったバスバー（下側）の破断面側とが接するように重ね合わせた場合である。
【００４９】
図８の(l) は、図５(c) のようにせん断面側のエッジを丸めて絶縁性塗料を電着塗装したもの同士の組合せで、その丸め加工が行われたせん断面側が互いに接するように重ね合わせた場合である。(m) は、図５(b) のように破断面側のエッジを丸めて絶縁性塗料を電着塗装したものと、図５(c) のようにせん断面側のエッジを丸めて絶縁性塗料を電着塗装したものとの組合せで、その丸め加工が行われた破断面側とせん断面側とが接するように重ね合わせた場合である。(n) は、図５(b) のように破断面側のエッジを丸めて絶縁性塗料を電着塗装したもの同士の組合せで、その丸め加工が行われた破断面側が互いに接するように重ね合わせた場合である。
【００５０】
図９は、上記(a) 〜(n) の一対のバスバーの間に３．０ｋＶの電圧を印加して漏れ電流を測定し、その漏れ電流が所定値以上か否かによって短絡の有無を調べた結果で、プレス加工のままの状態で絶縁性塗料を電着塗装したバスバーの組合せである(a) 〜(c) は、何れも漏れ電流が大きくて使用不可であった。(d) 〜(n) については、何れも漏れ電流が小さくて、通電装置として十分に使用可能であり、特に一対のバスバーの近接側のエッジを共に叩いて丸め加工した(l) 〜(n) は優れた絶縁性能が得られる。
【００５１】
図１０および図１１は、本発明の他の実施例で、図１０のバスバー３０は、銅等の導電性材料から成る丸棒素材３２をプレス等により径方向に潰して断面を長円形状とし、その外周面の全周に電着塗装により絶縁性塗料３４を付着させて被覆したもので、図１１のバスバー４０は、銅等の導電性材料から成る円筒素材（パイプなど）４２をプレス等により径方向に潰して断面を長円形状とし、その外周面の全周に電着塗装により絶縁性塗料４４を付着させて被覆したものである。これ等の場合には、プレスによる切断のようにエッジが生じないため、絶縁性塗料３４、４４が電着塗装によりバスバー３０、４０の全周に略均一に付着させられ、優れた絶縁性能が得られる。また、図１１のバスバー４０においては、潰された内側の内表面も含めた表面積が大きいため、通電電流が交流の場合、表皮効果によって送電容量が増加するとともにジュール熱の発生が抑制される利点がある。
【００５２】
以上、本発明の実施例を図面に基づいて詳細に説明したが、これはあくまでも一実施形態であり、本発明は当業者の知識に基づいて種々の変更、改良を加えた態様で実施することができる。
【図面の簡単な説明】
【００５３】
【図１】本発明の一実施例である通電装置の断面図で、図１２におけるＡ−Ａ断面に相当する図である。
【図２】図１の通電装置においてプレスにより打ち抜き加工されたバスバーの切断面の一例を示す断面図である。
【図３】幅寸法が異なるバスバーを組み合わせた通電装置において、せん断面側および破断面側の姿勢などが異なる幾つかの実施例を説明する図である。
【図４】幅寸法が同じバスバーを用いた通電装置において、せん断面側および破断面側の姿勢やエッジ叩きの有無などが異なる幾つかの実施例を説明する図である。
【図５】バスバーの切断面におけるエッジ叩きの有無による絶縁性塗料の付着状態の違いを示す断面図である。
【図６】プレスによってエッジを丸め加工する際のダイス型の一例を示す断面図である。
【図７】一対のバスバーについて、せん断面側および破断面側の姿勢や幅寸法、エッジ叩きの有無などが異なる幾つかの組合せを説明する図である。
【図８】一対のバスバーについて、図７とは更に異なる組合せを説明する図である。
【図９】図７および図８の各組合せについて、所定の電圧を印加して短絡の有無を調べた結果を示す図である。
【図１０】本発明の更に別の実施例を示す図で、丸棒素材を潰してバスバーを構成した場合である。
【図１１】本発明の更に別の実施例を示す図で、円筒素材を潰してバスバーを構成した場合である。
【図１２】電源回路に用いられる通電装置の一例を示す概略平面図である。
【図１３】従来の通電装置において、複数のバスバーを絶縁した状態で位置決め保持する手段の幾つかの例を説明する断面図で、図１２におけるＡ−Ａ断面に相当する図である。
【符号の説明】
【００５４】
１２、１４、１６、３０、４０：バスバー    １２ｃ、１４ｃ、１６ｃ：側端縁（切断面）    ２０：通電装置    ２２、３４、４４：絶縁性塗料    ３２：丸棒素材    ４２：円筒素材
【図１】
2006024449.tif 000003
【図２】
2006024449.tif 000004
【図３】
2006024449.tif 000005
【図４】
2006024449.tif 000006
【図５】
2006024449.tif 000007
【図６】
2006024449.tif 000008
【図７】
2006024449.tif 000009
【図８】
2006024449.tif 000010
【図９】
2006024449.tif 000011
【図１０】
2006024449.tif 000012
【図１１】
2006024449.tif 000013
【図１２】
2006024449.tif 000014
【図１３】
2006024449.tif 000015